(57)【要約】      （修正有）【課題】電磁波防止層を帽子本体の内面等に織り込む等をした、電磁波防止用帽子を提供する。【解決手段】電磁波防止用帽子１は、帽子本体１１、該帽子本体１１と結合する電磁波防止層１０、該帽子本体１１の内面或いは内層或いは表面に織り込み、ミシン縫い、浸漬、粘着或いは塗布などの方法を用いて、電磁波防止層１０を結合して構成する。前記電磁波防止層１０は銀、鉄或いは銅などの金属成分を含む電磁波防止布、或いは、銀、鉄或いは銅などの金属成分を含む発泡体で構成することができる。それによりユーザーの脳神経、脳細胞及び脳部など、頭部に関連する部位への電磁波の侵入を軽減することができる。【選択図】図２
0003170793.tif 000002
【実用新案登録請求の範囲】
【請求項１】
帽子本体、電磁波防止層を含み、
該帽子本体に電磁波防止層を結合し、人体の頭部或いは頭部の某部位を保護することを特徴とする電磁波防止用帽子の構造。
【請求項２】
前記帽子本体の内面、表面或いは内層に電磁波防止層を結合することを特徴とする請求項１記載の電磁波防止用帽子の構造。
【請求項３】
前記電磁波防止層は金属成分を含む電磁波防止布或いは、金属成分を含む電磁波防止発泡層であることを特徴とする請求項２記載の電磁波防止用帽子の構造。
【請求項４】
帽子本体、及び電磁波防止層を含み、
該帽子本体の内面、表面或いは内層に電磁波防止層を結合し、人体の頭部全体或いは某部位を守ることを特徴とする電磁波防止用帽子の構造。
【請求項５】
前記帽子本体は織り込み、ミシン縫い、浸漬、塗布或いは結合のいずれかの方法を用いて、電磁波防止層を結合することを特徴とする請求項４記載の電磁波防止用帽子の構造。
【請求項６】
前記帽子本体に織り込み或いはミシン縫いを用いて結合する電磁波防止層とは、綿と天然繊維、或いは綿と人工繊維、或いは天然繊維と人工繊維を、金属を含む繊維と共に撚って撚糸を作ることを特徴とする請求項５記載の電磁波防止用帽子。
【請求項７】
前記帽子本体は織り込み或いはミシン縫いを用いて結合する電磁波防止層は、金属を含む金属繊維はそれぞれ、綿、或いは天然繊維、或いは人工繊維と共に撚って撚糸を作り、
また、当該金属繊維は、９０〜５０％の綿、或いは天然繊維、或いは人工繊維に対し、１０％〜５０％の割合で金属繊維の撚糸を作ることを特徴とする請求項６記載の電磁波防止用帽子の構造。
【請求項８】
前記帽子本体に織り込み或いはミシン縫いの方法を用いて結合する電磁波防止層に含まれる金属繊維は、銀或いは銅或いは鉄を含む繊維であることを特徴とする請求項７記載の電磁波防止用帽子の構造。
【請求項９】
前記帽子本体は浸漬、塗布或いは粘着の方法を用いて、金属成分を含む電磁波防止層を結合することを特徴とする請求項４記載の電磁波防止用帽子の構造。
【請求項１０】
前記帽子本体は浸漬、塗布或いは粘着の方法を用いて結合する金属成分を含む電磁波防止層は、銀或いは銅或いは鉄の成分を含む電磁波防止層であることを特徴とする請求項９記載の電磁波防止用帽子の構造。
【考案の詳細な説明】
【技術分野】
【０００１】
本考案は電磁波防止用帽子の構造に関し、特に該帽子本体の内面、内層或いは該表面に織り込み、ミシン縫い、浸漬、粘着或いは塗布などの方法を用いて、電磁波防止層を結合することで、ユーザーが本考案を頭部或いは頭部の某部位にかぶると、電磁波防止の効果を具有し、ユーザーの脳神経、脳細胞及び脳部など、頭部に関連する部位を保護し、人体の健康に有益である電磁波防止用帽子の構造に関する。
【背景技術】
【０００２】
日常生活において、携帯電話、パソコン、家電製品、コピー機などの電子製品の使用率は日に日に高くなる。仕事場に設置する電子設備或いは関連製品は全て電磁波を生じており、長時間、電磁波のある環境にいる或いは接触しては、人体の健康に影響を及ぼす。例えば脳神経、脳細胞、心臓血管、生殖器系、遺伝学、免疫系、内分泌、血液循環などにダメージを与える可能性があり、更に腫瘍、脳病変など多くの病気を引き起こす可能性もある。
【０００３】
金属製のヘルメットは電磁波を防止することはできるが、日常生活において使用するのは適さないため、更なる改善が必要であった。
【先行技術文献】
【特許文献】
【０００４】
【特許文献１】登録実用新案第３０４２６８８号公報
【考案の概要】
【考案が解決しようとする課題】
【０００５】
前記公知構造の欠点を解決するため、本考案の第１の目的は、ユーザーの脳神経、脳細胞及び脳部など、頭部の関連部位の功能を保護する電磁波防止用帽子を提供することにある。
本考案の第２の目的は、ユーザーが使用する際、ベストな触感と快適感を具有する電磁波防止用帽子を提供することにある。
【課題を解決するための手段】
【０００６】
前記課題を解決するために、本考案は電磁波防止用帽子の構造を提供するものである。本体の内面、内層或いは該表面に織り込み、ミシン縫い、浸漬、粘着或いは塗布などの方法を用いて、銀、鉄或いは銅などの金属成分を含む電磁波防止層を結合し、電磁波防止の効果を具有することで、ユーザーの脳神経、脳細胞及び脳部など、頭部に関連する部位を保護し、人体の健康に有益である。また、本考案は本体の内面、内層或いは表面に織り込み或いはミシン縫いの方法を用いて電磁波防止層を結合することで、ユーザーが本考案の帽子を着ける際、ベストな触感及び快適感を具有する電磁波防止用帽子である。
本考案は、銀、銅或いは鉄の金属を含む繊維を、綿あるいは天然繊維、或いは人工繊維とともに撚って撚糸を作り、それを用いて電磁波防止層を作成し、当該電磁波防止層を帽子本体の内面、内層或いは表面に結合することで、ユーザーの頭部或いは頭部の某部位を守ることで、脳神経、脳細胞及び脳部など、頭部に関連する部位をも保護することにつながり、人体の健康に有益である。
【０００７】
本考案は下記の特徴を有する。
（１）帽子本体、電磁波防止層を含み、
該帽子本体に電磁波防止層を結合し、人体の頭部或いは頭部の某部位を保護することを特徴とする電磁波防止用帽子の構造。
（２）前記帽子本体の内面、表面或いは内層に電磁波防止層を結合することを特徴とする（１）記載の電磁波防止用帽子の構造。
（３）前記電磁波防止層は金属成分を含む電磁波防止布或いは、金属成分を含む電磁波防止発泡層であることを特徴とする（２）記載の電磁波防止用帽子の構造。
（４）帽子本体及び電磁波防止層を含み、
該帽子本体の内面、表面或いは内層に電磁波防止層を結合し、人体の頭部全体或いは某部位を守ることを特徴とする電磁波防止用帽子の構造。
（５）前記帽子本体は織り込み、ミシン縫い、浸漬、塗布或いは結合のいずれかの方法を用いて、電磁波防止層を結合することを特徴とする（４）記載の電磁波防止用帽子の構造。
（６）前記帽子本体に織り込み或いはミシン縫いを用いて結合する電磁波防止層とは、綿と天然繊維、或いは綿と人工繊維、或いは天然繊維と人工繊維を、金属を含む繊維と共に撚って撚糸を作ることを特徴とする（５）記載の電磁波防止用帽子。
（７）前記帽子本体は織り込み或いはミシン縫いを用いて結合する電磁波防止層は、金属を含む金属繊維はそれぞれ、綿、或いは天然繊維、或いは人工繊維と共に撚って撚糸を作り、
また、当該金属繊維は、９０〜５０％の綿、或いは天然繊維、或いは人工繊維に対し、１０％〜５０％の割合で金属繊維の撚糸を作ることを特徴とする（６）記載の電磁波防止用帽子の構造。
（８）前記帽子本体に織り込み或いはミシン縫いの方法を用いて結合する電磁波防止層に含まれる金属繊維は、銀或いは銅或いは鉄を含む繊維であることを特徴とする（７）記載の電磁波防止用帽子の構造。
（９）前記帽子本体は浸漬、塗布或いは粘着の方法を用いて、金属成分を含む電磁波防止層を結合することを特徴とする（４）記載の電磁波防止用帽子の構造。
（１０）前記帽子本体は浸漬、塗布或いは粘着の方法を用いて結合する金属成分を含む電磁波防止層は、銀或いは銅或いは鉄の成分を含む電磁波防止層であることを特徴とする（９）記載の電磁波防止用帽子の構造。
【図面の簡単な説明】
【０００８】
【図１】本考案の本体内面に電磁波防止層を結合する平面組み合わせ断面略図である。
【図２】本考案の本体内層に電磁波防止層を結合する平面組み合わせ断面略図である。
【図３】本考案の本体表面に電磁波防止層を結合する平面組み合わせ断面略図である。
【考案を実施するための形態】
【０００９】
図１〜図３に示すように、本考案の電磁波防止用帽子１に含まれるのは、帽子本体１１、該帽子本体１１と結合する電磁波防止層１０、該帽子本体１１の内面或いは内層或いは表面に織り込み、ミシン縫い、浸漬、粘着或いは塗布などの方法を用いて、電磁波防止層１０を結合し(図１〜図３では、それぞれ帽子本体の内面、内層或いは表面に電磁波防止層を結合した断面拡大略図である)、ユーザーが帽子を使用すると、頭部或いは頭部の某部位に電磁波防止効果を具有し、それによりユーザーの脳神経、脳細胞及び脳部など、頭部に関連する部位を保護することで、人体の健康に有益である。
【実施例】
【００１０】
前記電磁波防止層１０は銀、鉄或いは銅などの金属成分を含む電磁波防止布、或いは、銀、鉄或いは銅などの金属成分を含む発泡体で構成する電磁波防止層１０とすることができる。
【００１１】
更に、前記帽子本体１１の内面、内層或いは表面に織り込む或いはミシン縫いする電磁波防止層１０は、綿と天然繊維、或いは綿と人工繊維、或いは天然繊維と人工繊維を銀、銅或いは鉄などの金属繊維と共に撚って作成することができる。
【００１２】
また、前記の銀、銅或いは鉄などを含む金属繊維は綿、或いは天然繊維、或いは人工繊維と共に撚って撚糸を作る。また、当該銀、銅或いは鉄などを含む金属繊維は、９０〜５０％の綿、或いは天然繊維、或いは人工繊維に対し、１０％〜５０％の割合で銀、銅或いは鉄などを含む金属繊維で撚糸を作る。
【産業上の利用可能性】
【００１３】
本考案のメリットは下記の通り：
１  ユーザーが本考案をかぶると、帽子本体１１の内面、内層或いは該表面に織り込み、ミシン縫い、浸漬、粘着或いは塗布などの方法を用いて、電磁波防止層１０を結合し、ユーザーの頭部或いは頭部の某部位を守ることで、脳神経、脳細胞及び脳部など、頭部に関連する部位をも保護することにつながり、人体の健康に有益である。
２  帽子本体１１の内面、内層或いは表面に織り込み或いはミシン縫いの方法を用いて電磁波防止層１０を結合することで、ユーザーが本考案の帽子を着ける際、ベストな触感及び快適感を具有する。
【符号の説明】
【００１４】
１    帽子
１０  電磁波防止層
１１  帽子本体
【図１】
0003170793.tif 000003
【図２】
0003170793.tif 000004
【図３】
0003170793.tif 000005